【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
骨を固定するためのインプラント（２０）であって、近位端（２６）および遠位端（２８）を有し、前記近位端（２６）と前記遠位端（２８）との間に縦軸（３０）を形成するシャフト（２４）と、前記シャフト（２４）の少なくとも一部上に配置され、前記縦軸（３０）を中心にして螺旋状にねじれている近位端（２６）と遠位端（２８）を有する複数のブレード（３２）とを備え、前記ブレード（３２）のうちの少なくとも１つが前記縦軸（３０）に沿った方向に変化する可変幅を有し、前記ブレード（３２）のうちの少なくとも１つがほぼ一定のブレード幅を有するインプラント（２０）。
【請求項２】
前記可変ブレード幅が、前記ブレードの近位端から前記ブレードの遠位端の方向に広くなっている請求項１に記載のインプラント（２０）。
【請求項３】
前記ブレードのうちの少なくとも１つが、前記縦軸に沿った方向に変化する可変ブレード高さを有する請求項１に記載のインプラント（２０）。
【請求項４】
前記複数のブレードが、前記縦軸を中心にして約９０度ねじれている請求項１に記載のインプラント（２０）。
【請求項５】
前記可変ブレードの高さが、前記ブレードの近位端から前記ブレードの遠位端の方向に高くなっている請求項３あるいは４に記載のインプラント（２０）。
【請求項６】
前記ブレードのうちの少なくとも１つが、ほぼ一定のブレードの高さを有する請求項３あるいは４に記載のインプラント。
【請求項７】
前記複数のブレードが、前記縦軸を中心にしてほぼ直径方向に対向している少なくとも第１および第２のブレードと、前記縦軸を中心にしてほぼ直径方向に対向している少なくとも第３および第４のブレードとを備え、前記第１および第２のブレードのうちの少なくとも１つが、前記縦軸に沿った方向に広くなっている可変ブレード幅を有し、前記第３および第４のブレードのうちの少なくとも１つが、前記縦軸に沿った方向に高くなっている可変ブレード高さを有する請求項１から６のいずれかに記載のインプラント（２０）。
【請求項８】
前記可変ブレード高さが、前記ブレードの近位端においてほぼゼロである請求項１から７のいずれかに記載のインプラント（２０）。
【請求項９】
前記第１および第２のブレードのうちの少なくとも１つが、ほぼ一定のブレード高さを有し、前記第３および第４のブレードのうちの少なくとも１つが、ほぼ一定のブレード幅を有する請求項７あるいは８に記載のインプラント（２０）。
【請求項１０】
前記第１および第２のブレードが、前記縦軸に沿った方向に広くなる可変ブレード幅と、ほぼ一定のブレード高さを有し、前記第３のブレードが、前記縦軸に沿った方向に高くなる可変ブレード高さと、ほぼ一定のブレード幅を有し前記第４のブレードが、ほぼ一定のブレード高さと、ほぼ一定のブレード幅を有する請求項７から９のいずれかに記載のインプラント（２０）。
【請求項１１】
前記第１および第２のブレードが、前記縦軸を中心にして約９０だけ前記第３および第４のブレードからずれている請求項７から１０のいずれかに記載のインプラント（２０）。
【請求項１２】
ブレード付きの部分とブレードのない部分とを含み、前記ブレード付きの部分および前記ブレードのない部分がそれぞれ直径を形成するシャフト（２４）と、前記ブレード付きの部分上に配置され、前記縦軸を中心にして螺旋状にねじれている複数のブレードとを備え、前記ブレード付きの部分の最大直径が、前記ブレードのない部分の最大直径より小さい請求項１から１１のいずれかに記載のインプラント（２０）。
【請求項１３】
前記ブレードのない部分が、前記ブレード付きの部分にほぼ隣接して位置するテーパ状の領域を含み、前記テーパ状の領域が、前記ブレード付きの部分の方向に小さくなるテーパ状の領域の直径を形成する請求項１２に記載のインプラント（２０）。
【請求項１４】
前記テーパ状の領域が、さらに、前記ブレードにほぼ隣接する点にネックの直径を形成し、前記ネックの直径が前記ブレードの直径よりも小さい請求項１３に記載のインプラント（２０）。
【請求項１５】
前記インプラントが、前記縦軸上に位置する近位端と遠位端を有し、前記ブレード付きの部分が前記端部のうちの１つにほぼ隣接して位置する請求項１２から１４のいずれかに記載のインプラント（２０）。
【請求項１６】
前記インプラントが、前記第２の骨折固定インプラント（２２）、特に骨へ移植可能な脊髄内用釘を更に含む請求項１から１５のいずれかに記載のインプラント（２０）。
【請求項１７】
前記第２の骨折固定インプラント（２２）が、それを通して広がる孔を備えており、第１のインプラントが第２のインプラントの孔に挿入可能である請求項１６に記載のインプラント（２０）。
【請求項１８】
前記第２の骨折固定インプラント（２２）が、第１のインプラントと第２のインプラントを結合させるための機構を構成し、
前記第１のインプラントに収容することができる本体部材（６０）、第２のインプラント表面と接触するために本体部材から広がっている前記１つの錐状根を含む本体部材（６０）と、
前記本体部分に回転可能に連結した駆動部材（６２）、第１のインプラント（２０）にネジ山により係合できるように構成され、そのような寸法を有する駆動部材を備え、
前記駆動部材が前記１つの錘状根（７６）が前記第２のインプラント（２２）の表面と接触し、前記第１のインプラント（２０）に対する前記第２のインプラント（２２）の回転を実質的に防止するように、前記第２のインプラントの方に前記本体部材を圧迫する請求項１６あるいは１７に記載のインプラント（２０）。
【請求項１９】
前記１つの錐状根（７６）が、前記第１のインプラント（２０）に対する前記第２のインプラント（２２）のスライドを制限する請求項１８に記載のインプラント（２０）。
【請求項２０】
前記１つの錐状根（７６）が第１の係合面を形成し、
前記第２のインプラントが第２の係合面を形成し、
前記第１および第２の係合面が、前記第１のインプラントに対する前記第２のインプラントの回転を実質的に防止するための相互作用を行う請求項１９に記載のインプラント（２０）。
【請求項２１】
前記第２の係合面が第１の端部および前記第１の端部から縦方向に間隔を置いて位置する第２の端部を形成し、前記第２のインプラントがさらにスライドするのを防止するために、前記錐状根と接触するための前記端部のうちの少なくとも１つに隣接して形成されている当り止めを含む請求項２０に記載のインプラント（２０）。
【請求項２２】
前記本体部材が前記本体部材の縦軸を形成しているほぼシリンダー状の部分を含み、前記１つの錐状根が前記縦軸（６８）にほぼ平行に延びる、請求項１８から２１のいずれかに記載のインプラント（２０）。
【請求項２３】
第２の縦軸（６８）を形成し、さらに、チャンネル（６４）、および前記チャンネル（６４）と連絡し、前記第２の縦軸（６８）に対して所定の角度で配置されている孔（６６）を形成する第２のインプラントと、
第１の縦軸（３０）を形成し、前記孔（６６）内で前記第１の縦軸に沿ってスライドすることができる第１のインプラント（２０）と、
前記チャンネル（６４）内に収容することができ、前記第１の縦軸を中心とする前記第２のインプラント（２０）に対する前記第１のインプラント（２０）の回転を実質的に防止するために、前記第１のインプラント（２０）と接触するための少なくとも１つの錐状根（７６）を含む本体部材とを備え、
前記錐状根（７６）および前記第１のインプラントが、前記第１のインプラントのスライドを前記第１の縦軸（３０）に沿った所定の距離に制限するように構成され、そのような寸法を有する請求項１８から２２のいずれかに記載のインプラント（２０）。
【請求項２４】
さらに、前記本体部材（６０）に回転可能に連結し、前記第１のインプラントに対して前記本体部材を選択的に位置決めするために、前記チャンネル（６４）内にネジ山により係合できるように構成され、そのような寸法を有する駆動部材（６２）を備える請求項１８から２３のいずれかに記載のインプラント（２０）。
【請求項２５】
前記本体部材（６０）および前記駆動部材（６２）が前記チャンネル（６４）内に収容された場合に、ガイド・ワイヤをカニューレ挿入部を通して完全に挿入できるように、前記第２のインプラント、本体部材（６０）および駆動部材（６２）を貫通してカニューレ挿入部が形成される請求項２４に記載のインプラント（２０）。
【請求項２６】
前記錐状根（７６）が第１の係合面を形成し、前記第１のインプラント（２０）が、前記第１のインプラント（２０）の回転を実質的に防止し、前記第１のインプラント（２０）のスライドを前記所定の距離に制限するために、前記第１の係合面と接触するための第２の係合面を形成する請求項１８から２５のいずれかに記載のインプラント（２０）。
【請求項２７】
前記第１の係合面が、第１の端部と前記第１の端部から縦方向に間隔を置いて位置する第２の端部を形成し、前記第１のインプラント（２０）がさらにスライドするのを防止するために、前記錐状根に接触するための前記端部のうちの少なくとも一方と隣接して形成されている当り止めを含む請求項１８から２６のいずれかに記載のインプラント（２０）。
【請求項２８】
前記本体部材（６０）が、それぞれが第１の係合面を形成する少なくとも２つの錐状根を含み、前記第２のインプラントが少なくとも２つの第２の係合面を形成する請求項１８から２７のいずれかに記載のインプラント（２０）。
【請求項２９】
前記錐状根のうちの少なくとも１つが、前記錐状根のうちの他方より長い請求項２８に記載のインプラント（２０）。
【請求項３０】
前記第２のインプラント（２２）が骨髄内用釘である請求項１８から２９のいずれかに記載のインプラント（２０）。
【請求項３１】
前記第１のインプラント（２０）がその上に配置されている複数の螺旋状にねじれたブレードを含む請求項１８から３０のいずれかに記載のインプラント（２０）。
【請求項３２】
前記第２のインプラント（２０）内に収容することができる、前記機構の縦軸（６８）を形成する本体部材（６０）と、
前記第１のインプラント（２０）の第１の面と接触するために前記本体部材（６０）から延び、前記縦軸（６８）に沿って第１の錐状根長さを形成している第１の錐状根（７６）と、
前記第１のインプラント（２０）の第２の面と接触するために前記本体部材（６０）から延び、前記縦軸（６８）に沿って第２の錐状根長さを形成している第２の錐状根とを備え、前記第２の錐状根の長さが、前記第１の錐状根の長さより実質的に長い請求項１８から３１のいずれかに記載のインプラント（２０）。
【請求項３３】
前記第１および第２の錐状根が相互にほぼ平行である請求項３２に記載のインプラント（２０）。
【請求項３４】
さらに、前記第２のインプラントに対する前記第１のインプラントの回転を実質的に防止するために、前記第１および第２の錐状根がそれぞれ前記第１および第２の係合面と接触するように、前記本体部材を前記第２のインプラントの方に圧迫する駆動部材を備える請求項３２あるいは３３に記載のインプラント（２０）。